(57)【要約】【課題】引張ストランドの整然とした巻取と巻出を可能にする、信頼度が高く頑丈で比較的簡素に構成されたウインチを提供する。【解決手段】巻付ドラム（２２）の周りに延びる巻回で引張ストランド（１２）を巻取可能かつ巻出可能であるように中心軸（Ａ）を中心として回転可能である巻付ドラム（２２）と、巻付ドラム（２２）の回転を駆動するための回転アクチュエータ（２０）とを有し、巻付ドラム（２２）がウインチ（１０）の基体（５２）に関して中心軸（Ａ）に沿って長手方向に可動に配置されているウインチ（１０）において、中心軸（Ａ）に延びる、雄ねじ（３０）を備えたねじ付ロッド（２８）が設けられており、巻付ドラム（２２）は雄ねじ（３０）に係合する対応ねじ（３６）によってねじ付ロッド（２８）の周りで回転可能に配置されている。【選択図】図２
2017128445.tif 000002
【特許請求の範囲】
【請求項１】
引張ストランド（１２）が巻取可能かつ巻出可能に巻回され、中心軸（Ａ）を中心として回転可能である巻付ドラム（２２）と、前記巻付ドラム（２２）の回転を駆動するための回転アクチュエータ（２０）とを有し、前記巻付ドラム（２２）はウインチ（１０）の基体（５２）に関して前記中心軸（Ａ）に沿って長手方向に可動に配置されている、引張ストランド（１２）の巻取と巻出をするためのウインチ（１０）において、
前記中心軸（Ａ）に沿って延在し、雄ねじ（３０）を備えたねじ付ロッド（２８）が設けられており、前記巻付ドラム（２２）は前記雄ねじ（３０）に係合する対応ねじ（３６）によって前記ねじ付ロッド（２８）の周りで回転可能に配置されていることを特徴とするウインチ。
【請求項２】
前記回転アクチュエータ（２０）は、前記中心軸（Ａ）と平行に延びるとともに前記中心軸（Ａ）に対して偏心的に配置された少なくとも１つの随伴シャフト（４０）を有していることを特徴とする、請求項１に記載のウインチ。
【請求項３】
前記回転アクチュエータ（２０）は、前記ねじ付ロッド（２８）の一端が回転可能に支承される回転軸受（４６）を備えた回転駆動可能なアクチュエータ基体部分（４２）を有していることを特徴とする、請求項１または２に記載のウインチ。
【請求項４】
少なくとも１つの随伴シャフト（４０）は、回転軸受（４６）に対してオフセットされてアクチュエータ基体部分（４２）に配置されていることを特徴とする、請求項２および請求項３に記載のウインチ。
【請求項５】
前記ねじ付ロッド（２８）の一端が前記ウインチの基体（５２）に回転不能に固定されていることを特徴とする、請求項１〜請求項４のいずれか１項に記載のウインチ。
【請求項６】
前記巻付ドラム（２２）は、少なくとも１つの前記随伴シャフト（４０）が長手方向スライド可能に支承される軸受（５０）を有していることを特徴とする、請求項２に記載のウインチ。
【請求項７】
前記巻付ドラム（２２）は、前記ねじ付ロッド（２８）のための中央のブッシング（３４）を備えた支持体部分（３２）を有しており、前記支持体部分（３２）は前記中央のブッシング（３４）に対してオフセットされた駆動区域を有しており、該駆動区域に対して前記回転アクチュエータ（２０）が前記巻付ドラム（２２）を駆動するために作用することを特徴とする、請求項１〜請求項６のいずれか１項に記載のウインチ。
【請求項８】
前記中央のブッシング（３４）は前記対応ねじ（３６）を形成する雌ねじ（３７）を有していることを特徴とする、請求項７に記載のウインチ。
【請求項９】
雄ねじ（３０）は反対向きの２つのねじ山プロフィルを備えたクロスねじとして構成されていることを特徴とする、請求項１〜請求項８のいずれか１項に記載のウインチ。
【請求項１０】
前記雄ねじ（３０）および／または前記対応ねじの上昇高さは巻回の所定の間隔寸法に相当していることを特徴とする、請求項１〜請求項９のいずれか１項に記載のウインチ。
【発明の詳細な説明】
【技術分野】
【０００１】
本発明は、請求項１の前提項に記載されている、軸方向に変位可能な巻付ドラムを有するウインチに関する。
【背景技術】
【０００２】
このような種類のウインチは、たとえば支持ロープを有する昇降用クレーンで使用され、その場合、支持ロープは、一方ではたとえば保持装置によって荷物と結合可能であり、他方では、骨組に配置されたウインチによって荷物を持ち上げるために巻取可能である。
【０００３】
このような種類のウインチが好ましいのは、引張ストランドを整然とした形で巻付ドラムに巻き取ることができ、特に、引張ストランドが相並んで平行に延びる巻回として巻付ドラムの周りに延び、場合により、巻回の複数の層が整然と相上下して巻き取られるようになっている場合である。
【０００４】
このような観点から、ロープが案内装置を介して巻付ドラムへと案内される、さまざまな装置が知られており、案内装置は、巻付ドラムが回転したとき、同時に軸方向に巻付ドラムに沿ってスライドする。このとき案内されるロープによって、案内装置にはせん断力が負荷される。このことは、互いに擦れる部分の意図しない摩減が生じ、いっそう高いエネルギーコストが作動のために必要になるという帰結につながる。案内装置に磨耗屑その他の汚れが溜まり、定期的なメンテナンスが必要となり得る。
【０００５】
上記の装置に加えて、回転駆動される巻付ドラムが回転時に同時に軸方向にスライドして、ロープを相並んで巻き取る装置が知られている。特許文献１は、請求項１の前提項の構成要件を備えるロープウインチを示している。軸方向にスライド可能なように中央の四角シャフトに配置されたロープドラムが設けられる。四角シャフトが回転軸を形成し、ロープドラムの回転のための駆動アクチュエータとして作用する。制御カムに当接する同心的なカムディスクが、ロープドラムと結合されている。制御カムに向かって押圧されるカムディスクのカム輪郭により、ロープドラムがその回転中に往復運動して、ロープを層ごとに巻き取る。当分野に属する別の装置が特許文献２に記載されている。この装置においては、ロープドラムは中央の駆動シャフトを中心として回転可能、かつ軸方向にスライド可能に支承される。中央のシャフトに対して偏心的、且つ平行に延びる随伴ロッドが設けられ、これがロープドラムを支持するとともに、駆動シャフトの回転時にロープドラムを回転させて巻取を行なう。ロープドラムを軸方向に変位させるために、偏心的な随伴ロッドのうちの１つが雄ねじを有している。この雄ねじは、ロープドラムに配置されたねじ付スリーブの中で動く。雄ねじを有するロッドは駆動シャフトの周りに延びるとともに、それ自体としてプラネタリギヤを介して回転する。ドラムが回転すると、ねじ付スリーブが雄ねじに沿って動き、それによってロープドラムがロッドに沿って変位する。このような種類の解決法においては、相互に可動のさまざまなコンポーネントや伝動装置が使用され、このことが設計コストや調節コストをもたらすことがある。
【先行技術文献】
【特許文献】
【０００６】
【特許文献１】ドイツ特許出願公告第１０５３７５７Ｂ号
【特許文献２】ドイツ特許第７３２０４５Ｃ号
【発明の概要】
【発明が解決しようとする課題】
【０００７】
本発明の課題は、引張ストランドの整然とした巻取と巻出を可能にする、信頼度が高く頑丈で比較的簡素に構成されたウインチを提供することにある。
【課題を解決するための手段】
【０００８】
この課題は請求項１に記載のウインチによって解決される。このウインチは、本件の関連では柔軟に構成されて巻取可能である引張ストランド（たとえばロープ、チェーン、またはベルト）の巻取と巻出をする役目を果たす。ウインチはその中心軸を中心として回転可能な巻付ドラムを有している。巻付ドラムが回転すると、引張ストランドが、巻付ドラムの周に沿った層状に巻き取られ、または巻き出される。巻付ドラムを回転駆動するために、巻付ドラムに作用する回転アクチュエータが設けられている。巻付ドラムは、その中心軸に沿って長手方向に可動なように配置される。その意味でこの長手方向運動は、たとえばウインチの固定された土台のような定置の基準物に対して行われる。
【０００９】
本発明によると、巻付ドラムの中心軸がねじ付ロッドの中を延びるように延びるねじ付ロッドが設けられる。ねじ付ロッドは雄ねじを有している。巻付ドラムは対応ねじによって、ねじ付ロッドの雄ねじの上で動く。したがって巻付ドラムが回転すると、対応ねじが雄ねじの周りで回転し、巻付ドラムの回転運動が、ねじ付ロッドに沿った並進運動と結びつく。このことは、引張ロッドを整然と相並んで位置する巻回として巻き取ったり巻き出したりすることを可能にする。巻回を調整するための変位可能な案内部は、そのために必ずしも必要ではない。その意味で引張ストランドは、ウインチに対して固定的な取込位置および取出位置へと通じていてよい。それにより、引張ストランドおよびその他の可動部品の磨耗を減らすことができる。このとき巻付ドラムの軸方向の変位は特に追加の伝動装置なしで行われ、このことは設計コストとメンテナンスコストを削減する。全体として、このことは頑丈でコンパクトな構造を可能にする。
【００１０】
回転アクチュエータは、中心軸と平行に延びるとともに中心軸に対して偏心的に、すなわち半径方向にオフセットされて配置される少なくとも１つの随伴シャフトを有しているのが好ましい。随伴シャフトは中心軸を中心とする円軌道で駆動可能であり、巻付ドラムと協働作用する。随伴シャフトは中心軸に対して偏心的なので、中心軸回りのトルクを巻付ドラムへ伝達することができる。
【００１１】
回転アクチュエータは、回転駆動可能なアクチュエータ基体部分、たとえば基体ディスクを含んでいるのが好ましい。アクチュエータ基体部分は、特に、ねじ付ロッドの一端が支承された中央の回転軸受を含んでおり、それにより、アクチュエータ基体部分は中心軸を中心として回転可能である。この意味で中心軸は、回転軸受を通って延びている。特別にコンパクトな構造が可能となるが、それは、回転可能なアクチュエータ基体部分が同時に、（特に回転不能な）ねじ付ロッドのための先端軸受を提供するからである。アクチュエータ基体部分はたとえばフランジを有することができ、該フランジを介して、回転駆動装置の駆動シャフトとの結合が行われる。
【００１２】
特に、少なくとも１つの随伴シャフトが、アクチュエータ基体部分に中央の回転軸受に対して偏心的にオフセットされて配置されることが意図される。随伴シャフトはアクチュエータ基体部分に固定的に配置されていてよく、たとえばアクチュエータ基体部分の切欠きに固定されて収容されていてよい。しかしながら随伴シャフトは、アクチュエータ基体部分に回転可能に配置されていてもよい。
【００１３】
回転アクチュエータは、中心軸（および特に上述した中央の回転軸受）の周りに対称の配置で偏心的に配置された、上述した種類の複数の随伴シャフトを含んでいるのが特別に好ましい。特に、中心軸に対して（または中央の回転軸受が設けられる場合にはこれに対して）向かい合うように配置された２つの随伴シャフトが設けられる。
【００１４】
特に、ねじ付ロッドは巻付ドラムの回転時に一緒に回転しないことが意図される。そのために、たとえばねじ付ロッドの一端がウインチの基体に相対回転不能に固定されていてよい。ねじ付ロッドは全面的に不動なようにウインチに配置されるのが好ましい。
【００１５】
ウインチの基体はたとえば基体フランジを備える基体部分であってよく、該基体フランジによってウインチを上位の装置へ取付可能である。
【００１６】
１つの好ましい実施形態では、巻付ドラムは、随伴シャフトが長手方向スライド可能に（すなわち中心軸と平行な方向にスライド可能に）支承される軸受を有している。この軸受により、巻付ドラムを中心軸に沿って、且つ随伴シャフトに沿って軸方向にスライドさせることができ、そのようにして、その軸方向の位置に関わりなく回転駆動することができる。軸受は特に中心軸に対して偏心的に配置される。軸受は、直線軸受（スライド軸受）としても回転軸受としても構成されているのが好ましく、それにより、巻付ドラムの回転時に引っかかりが回避される。
【００１７】
さらに別の構成をするために、巻付ドラムは、ねじ付ロッドのための中央のブッシングを備える支持体部分を有することができる。このブッシングは中心軸を同軸に包囲する。さらに支持体部分は、中央のブッシングに対して偏心的に配置された駆動区域を有することができ、該駆動区域で回転アクチュエータが巻付ドラムを駆動するためにこれに対して作用する。駆動区域は、特に、上述した随伴シャフトのための軸受を有している。
【００１８】
好ましくは、対応ねじが、支持体部分の中央のブッシングにある雌ねじによって形成することができ、それによって少数のコンポーネントしか必要ない。特に雌ねじは中心軸（およびねじ付ロッド）を同軸に包囲する。雌ねじを備えるねじ付スリーブが中央のブッシングへ嵌め込まれることによっても、簡単に組立を行うことができる。
【００１９】
１つの好ましい実施形態は、雄ねじが２つの反対向きのねじ山プロフィルを備えるクロスねじとして構成されることによってもたらされる。それにより、ある特定の回転方向で駆動される巻付ドラムが、ねじ付ロッドに沿って往復運動をする。このことは、巻回される引張ストランドを連続する層として相上下して巻き取ることを可能にする。
【００２０】
反対向きの両方のねじ山プロフィルは、特に、それぞれの端部区域で相互に結合されている。その意味で、両方のねじ山プロフィルはそれぞれの端部区域で互いに移行し合い、クロスねじの反転点を形成する。それにより、回転する巻付ドラムが雄ねじに沿って往復運動をする。
【００２１】
ウインチは、雄ねじおよび／または対応ねじの幾何学的な構成により、さまざまな利用目的に合わせて適合化することができる。たとえば、雄ねじおよび／または対応ねじの上昇高さは、巻回の所定の、ないしは希望される間隔寸法に対応することが意図されていてよい。この間隔寸法は、引張ストランドが巻付ドラムに巻き取られるべき間隔を表す。たとえば、上昇高さが引張ストランドの太さに相当することが考えられる。それにより、巻回された引張ストランドが直接的に相並んで位置するようになる。
【００２２】
さらに別の構成をするために、巻付ドラムは外側に位置する巻付表面を有している。この巻付表面は実質的に円筒状に構成されていてよい。特に巻付表面は、螺旋状に周回する表面溝を有しており、この表面溝によって引張ストランドの巻回が案内されて、巻付表面の上で整然と位置する。それにより、引張ストランドが定義された通りに巻き取られ、巻き出される。
【００２３】
次に、図面を参照しながら本発明について詳しく説明する。
【図面の簡単な説明】
【００２４】
【図１】本発明によるウインチを示す外観斜視図である。
【図２】図１のウインチを説明するための縦断面図である。
【図３】図１および２のウインチを説明するための分解図である。
【発明を実施するための形態】
【００２５】
以下の説明ならびに図面において、同一または互いに対応する構成要件についてはそれぞれ同じ符号が使われる。
【００２６】
図１〜３は、図２の縦断面図に模式的に見ることができる引張ストランド１２（ここではロープ）の巻取と巻出をするためのウインチ１０を示している。ウインチ１０は、任意選択として別のユニット（たとえばブレーキ装置１６および／または伝動装置１８）を介して回転アクチュエータ２０と結合される回転駆動装置１４（たとえば電動モータ）を含んでいる。
【００２７】
回転アクチュエータ２０は、巻付ドラム２２をその中心軸Ａを中心として回転するように駆動するために設けられる。巻付ドラム２２は、螺旋状に周回する少なくとも１つの表面溝２６を備えていてよい円筒状の外側の巻付表面２４を有している（図２参照）。
【００２８】
中心軸Ａに沿って、雄ねじ３０（図３参照）を有するねじ付ロッド２８が延びている。
【００２９】
巻付ドラム２２は、ねじ付ロッド２８が挿通される中央のブッシング３４を備えた支持体部分３２を含んでいる。中央のブッシング３４は、ねじ付ロッド２８の雄ねじ３０の上で動く対応ねじ３６を有している。対応ねじ３６は、たとえば支持体部分３２に嵌め込まれるねじ付スリーブ３８の雌ねじ３７により形成されていてよい。原則として、巻付ドラム２２は多部分で構成されていてよく、たとえば、閉止をするフランジディスク３９とねじ止めされていてよい。
【００３０】
支持体部分３２は、中央のブッシング３４に対して偏心的な（すなわち中心軸Ａに対して半径方向にオフセットされた）駆動区域（符号５０）を提供するものであり、該駆動区域に対して回転アクチュエータ２０が巻付ドラム２２を回転駆動するために作用する。
【００３１】
回転アクチュエータ２０は、中心軸Ａに関してアクチュエータ基体部分４２に対称に配置され、且つたとえばピン留め４４により固定される、たとえば２つの随伴シャフト４０を含んでいる。
【００３２】
アクチュエータ基体部分４２は、ねじ付ロッド２８が回転可能に支承される中央の回転軸受４６を有している。回転軸受４６はたとえばボールベアリングとして構成され、止め輪４８によって固定されていてよい。
【００３３】
随伴シャフト４０は、支持体部分３２の駆動区域にある対応するブッシングを通って延びるとともに、そこで軸受５０に長手方向スライド可能に、かつ好ましくは回転可能に受容される。
【００３４】
回転軸受４６と向かい合うねじ付ロッド２６の端部は、ウインチ１０の基体５２に固定される。この基体は、ウインチを外部から固定できる取付フランジにより提供することができる。アクチュエータ基体部分４２と向かい合う随伴シャフト４０の端部は、基体ディスク５４で受容されるとともに、たとえばピン５６によって固定される。さらに基体ディスク５４は、中央の回転軸受５８（たとばボールベアリング）を有しており、該回転軸受によってねじ付ロッド２８が案内されており、それにより、ねじ付ロッド２８の周りでの回転が可能である。ねじ付ロッド２８は、（たとえばワッシャ６２とねじ６４を有する）フェザーキー６０を介して、基体５２で回り止めされていてよい。フェザーキー６０を外して場合により交換することで、ねじ付ロッド２８の位置を中心軸Ａに沿って調整することができる。
【符号の説明】
【００３５】
１２   引張ストランド
１４   回転駆動装置
１６   ブレーキ装置
１８   伝動装置
２０   回転アクチュエータ
２２   巻付ドラム
２４   巻付表面
２６   付ロッド
２６   表面溝
２８   付ロッド
３２   支持体部分
３４   ブッシング
３８   ねじ付スリーブ
３９   フランジディスク
４０   随伴シャフト
４２   アクチュエータ基体部分
４６   回転軸受
４８   止め輪
５０   軸受
５２   基体
５４   基体ディスク
５６   ピン
５８   回転軸受
６０   フェザーキー
６２   ワッシャ
【図１】
2017128445.tif 000003
【図２】
2017128445.tif 000004
【図３】
2017128445.tif 000005